(57)【特許請求の範囲】
【請求項１】
缶蓋本体の上面中央部に突出して形成されるリベットと、スコアにより画成された開口片と、前記開口片の上に一端部を重ねて前記リベットに取り付けられるタブと、前記タブの他端部側で前記缶蓋本体に形成される指かけ凹部とを備え、前記タブの他端部を上方に引き上げることにより、前記一端部が前記開口片を下方に押圧して前記スコアを破断させ、前記開口片を開口させる缶蓋であって、前記缶蓋本体には、前記リベットと前記指かけ凹部との間に、前記タブの下方に配置される一対の凸部が前記タブの幅方向に並んで形成され、その一対の凸部の間に、前記タブの長さ方向に延びる薄肉部からなる変形容易部が形成されており、
前記変形容易部は、前記タブの幅方向中央に、前記リベット周囲のコイニングにより押しつぶされたリング状圧印部よりも外側の近傍から前記タブの幅方向に直交して直線状に形成されたスコアであることを特徴とする缶蓋。
【請求項２】
前記開口片から前記指かけ凹部までの領域は、前記缶蓋本体上面に形成され前記タブの長さ方向に延在する凹状のパネルデボス内に形成されており、前記指かけ凹部の底面は、前記パネルデボスの上面よりも下方に形成されていることを特徴とする請求項１記載の缶蓋。
【請求項３】
前記変形容易部は、前記タブの幅方向中央部を中心に対称となる配置に設けられていることを特徴とする請求項１又は２に記載の缶蓋。
【請求項４】
前記変形容易部は、前記指かけ凹部に通じるように設けられていることを特徴とする請求項１から３のいずれか一項に記載の缶蓋。
【発明の詳細な説明】
【技術分野】
【０００１】
本発明は、缶体の開口端部に巻締められる缶蓋に関するものである。
【背景技術】
【０００２】
飲料缶の缶蓋として、特許文献１及び特許文献２に示されるように、タブを缶蓋本体に取り付けたままの状態で飲み口が開口可能なステイオンタブ方式のものが知られている。
このタブを備えた缶蓋は、タブがリベットによって取り付けられており、タブの引き上げ部を引き上げることにより、リベット近傍が支点となり、タブノーズ部（タブの先端）が作用点となって、パネル表面のスコアに囲まれた開口片を押圧、没入してスコアを破断させ、開口片を開口させるようになっている。この際、パネル表面は、スコア形状に沿って破断され、開口片は缶蓋と離れることなく飲料缶内部に押し入れられて開缶する。
【０００３】
ところで、従来の缶蓋においては、ビールや炭酸飲料等を充填した飲料缶本体に取り付けた状態において、缶の内圧によって上方に膨出する。この際、薄肉形状であるスコアに囲まれた開口片は、その周囲と比較して高く膨出するので、開口片の上面が、その上方に位置するタブの先端に当接して、そのタブの先端が押し上げられる。これにより、タブの引き上げ部がパネル表面に密接してしまうことがあり、タブの引き上げ部に指が掛かりにくく、開缶しにくいという問題があった。
【０００４】
そこで、特許文献１では、開口片を成すスコアとは別に、リベットを介して反対側のタブ引き上げ部の下面側のパネル表面に、第２図に示すようにスコアと対となるように補助スコア部を形成して、缶の内圧により、その補助スコア部で囲まれた部分を上方に膨出させて、引き上げ部とパネル表面との間に隙間を保持して指掛かり性を向上させることが提案されている。
また、特許文献２には、タブの引き上げ部付近のパネル表面に、缶の内圧によって容易に突出変形する薄肉部等の変形容易部を、タブを横切る方向に形成して、その膨出変形によりタブの引き上げ部を浮き上がらせて、指が掛かり易くするための提案がなされている。
【先行技術文献】
【特許文献】
【０００５】
【特許文献１】実用新案第２５０８６３７号公報
【特許文献２】特開２００５−７５４４８号公報
【発明の概要】
【発明が解決しようとする課題】
【０００６】
しかしながら、特許文献１の缶蓋の場合、パネル表面にタブを囲むように形成された凹部の外周壁近傍に補助スコア部が形成されており、外周壁の立ち上がり形状部分の剛性は局所的に高くなっていることから、補助スコア部で囲まれた部分を十分に膨出させることができない。
また、特許文献２のように、タブを横切る方向に変形容易部を形成した場合においても、限られた範囲内で短い変形容易部しか形成することができず、周辺形状の抵抗が大きく、十分な効果が得られにくい。
【０００７】
本発明は、このような事情に鑑みてなされたもので、開缶操作時のタブの指掛かり性を向上させ、好適な開缶性を確保することができる缶蓋を提供する。
【課題を解決するための手段】
【０００８】
本発明の缶蓋は、缶蓋本体の上面中央部に突出して形成されるリベットと、スコアにより画成された開口片と、前記開口片の上に一端部を重ねて前記リベットに取り付けられるタブと、前記タブの他端部側で前記缶蓋本体に形成される指かけ凹部とを備え、前記タブの他端部を上方に引き上げることにより、前記一端部が前記開口片を下方に押圧して前記スコアを破断させ、前記開口片を開口させる缶蓋であって、前記缶蓋本体には、前記リベットと前記指かけ凹部との間に、前記タブの下方に配置される一対の凸部が前記タブの幅方向に並んで形成され、その一対の凸部の間に、前記タブの長さ方向に延びる薄肉部からなる変形容易部が形成されており、前記変形容易部は、前記タブの幅方向中央に、前記リベット周囲のコイニングにより押しつぶされたリング状圧印部よりも外側の近傍から前記タブの幅方向に直交して直線状に形成されたスコアであることを特徴とする。
【０００９】
この缶蓋においては、一対の凸部の間に、タブの長さ方向に延びる薄肉部からなる変形容易部を設けているので、タブの幅方向に沿って変形容易部を設ける場合と比べて、変形容易部を長く形成することができ、その分、膨出量を大きくすることができる。
これにより、タブの引き上げ部と缶蓋本体のパネル表面との間に隙間を保持して指掛かり性を良くすることができ、開缶性を向上させることができる。
【００１０】
また、本発明の缶蓋において、前記開口片から前記指かけ凹部までの領域は、前記缶蓋本体上面に形成され前記タブの長さ方向に延在する凹状のパネルデボス内に形成されており、前記指かけ凹部の底面は、前記パネルデボスの上面よりも下方に形成されているとよい。
パネルデボスにより、缶蓋本体の全体的な剛性を高めることができ、缶蓋全体の上面でのタブの突出量を抑えることができる。一方で、パネルデボス上面から指かけ凹部底面にかけて立ち下がる形状となることから、変形容易部が指かけ凹部近傍まで延びていてもパネルデボス上面は膨出し易い。また、変形容易部の延在方向と、パネルデボスを構成する外周壁の延在方向を合わせることで、変形容易部を長く形成することができ、さらに膨出し易くなっている。これにより、タブの引き上げ部と指かけ凹部の上面との間の隙間を大きくして指掛かり性を向上させることができる。
【００１１】
また、本発明の缶蓋において、前記変形容易部は、前記タブの幅方向中央部を中心に対称となる配置に設けられているとよい。
変形容易部をタブの幅方向に対称となるように設けることで、タブの他端部を幅方向に均一に押し上げることができるので、確実にタブの引き上げ部と缶蓋本体のパネル表面との間に隙間を保持して指掛かり性を向上させることができる。
【００１２】
さらに、本発明の缶蓋において、前記変形容易部は、前記指かけ凹部に通じるように設けられているとよい。
指かけ凹部の側面部は局所的に剛性が高くなっているが、指かけ凹部に通じるように側面部を突き抜けて変形容易部を形成することにより、その部分の剛性を緩和させることができ、缶蓋本体のパネル表面を確実に膨出させることができる。
【００１３】
また、本発明の缶蓋において、前記変形容易部は、前記タブの幅方向中央に、その幅方向に直交する直線状のスコアであることから、直線状のスコアのみの簡単な構成で変形容易部を形成することができるとともに、タブの幅方向中央付近に集中させてパネル表面を膨出させることができるので、より効果的にタブの引き上げ部と缶蓋本体のパネル表面との間に隙間を保持して指掛かり性を向上させることができる。
【発明の効果】
【００１４】
本発明によれば、缶蓋本体のパネル表面に効果的に変形容易部を形成して膨出させることにより、タブの他端部とパネル表面との隙間を保持することができるので、開缶操作時のタブの指掛かり性を向上させることができ、好適な開缶性を確保することができる。
【図面の簡単な説明】
【００１５】
【図１】本実施形態の缶蓋を示す平面図である。
【図２】図１に示す缶蓋のＡ−Ａ断面図である。
【図３】変形容易部を説明する要部断面図である。
【図４】タブの引き上げ部周辺の要部拡大図である。
【図５】他の実施形態の変形容易部を説明する平面図である。
【図６】変形容易部におけるタブの引き上げ部と指かけ凹部との間の寸法を説明する断面図である。
【発明を実施するための形態】
【００１６】
以下、本発明の缶蓋の一実施形態を、図面を参照しながら説明する。
本実施形態の缶蓋１００は、飲料用の缶に用いられる、いわゆるステイオンタブ式缶蓋であり、図１に示すように、缶蓋本体１とタブ２とにより構成され、これらの缶蓋本体１およびタブ２は、それぞれ純アルミニウムもしくはアルミニウム合金により形成されている。
【００１７】
缶蓋本体１は、図１および図２に示すように、その中央部分に配置される円板状をなすパネル部１０ａと、パネル部１０ａの外周縁からコーナー部１１を介して連続し下方に向けた環状凹部１２を形成するカウンターシンク部１３と、カウンターシンク部１３の外周縁から上方に向けてほぼ拡径しながら延在するチャック壁部１４と、チャック壁部１４の外周縁から連なるショルダー部１５と、ショルダー部１５に連続するショルダーカール部１６とから構成されている。
【００１８】
パネル部１０ａの上面には、図１に示すように、パネル部１０ａ（缶蓋本体１）の中央部に突出したリベット３が形成されており、このリベット３にタブ２が取り付けられている。また、パネル部１０ａの上面のリベット３から特定の半径方向に延びる部分（図１ではリベット３の下側）にスコア部４により画成される開口片５が形成され、開口片５とはリベット３を介して反対側（図１ではリベット３の上側）に指かけ凹部６が形成されており、リベット３と指かけ凹部６との間にディンプルと称される一対の凸部７が形成されている。
そして、これら開口片５、指かけ凹部６、凸部７を取り囲むように凹状のパネルデボス１０ｂがタブ２の長さ方向に延在して形成されており、そのパネルデボス１０ｂを構成する外周壁１０ｃによってパネル部１０ａ全体の剛性が高められている。
【００１９】
タブ２は、アルミニウム等の金属板を切り抜いてプレス加工等により平坦に形成されており、開口片５の上方に重なって配置された一端部２１と、リベット３を挟んで反対側に形成された他端部の引き上げ部２２とを備え、引き上げ部２２には、タブ２の厚さ方向に開口するタブホール部２３が形成されている。一端部２１と引き上げ部２２との間には、Ｕ字状のスロット２４ａによりタング部２４が形成され、タング部２４にリベット孔が形成されており、そのリベット孔にリベット３が挿入されてタング部２４の下面がパネルデボス１０ｂの表面に当接した状態でタブ２が取り付けられている。
なお、リベット３は、パネル部１０ａの中心の周囲を上方からリング状に圧印するコイニング加工を施して、パネル部１０ａの中心部を上方に張り出させることにより形成される。
【００２０】
スコア部４は、図１に示すように、始端部４１と、リベット３をほぼ半分囲む円弧状の初期破断部となる円弧形状部４２と、略楕円形状の中間部４３と、終端部４４とで構成され、始端部４１と終端部４４との間にパネル部１０ａとの接続部４５を一部残して形成され、開口片５を画成している。円弧形状部４２は、リベット３周囲のコイニングにより押しつぶされたリング状圧印部に形成される。
また、スコア部４は、タブ２による押圧によって破断されて開口片５を形成する主スコア４ａと、主スコア４ａの内側に隣接して平行に形成される補助スコア４ｂとを備えた二重構造とされており、スコア部４の始端部４１および終端部４４で、主スコア４ａと補助スコア４ｂとが接続されている。
そして、補助スコア４ｂは、隣接する主スコア４ａよりも浅く形成されており、タブ２の押圧によっては破断されない構成となっている。
開口片５上には、スコア部４に沿うようにして突出させられたインナービード８が形成され、開口片５を補強している。
【００２１】
指かけ凹部６は、タブ２の引き上げ部２２を引き上げる際に、引き上げ部２２の下方に指先を配置して引き上げ易くするものであり、引き上げ部２２下方近傍のパネル部１０ａに半径方向外方にかけて形成されている。
また、指かけ凹部６の側面６１は、パネルデボス１０ｂの外周壁１０ｃの一部分と連続して設けられており、その底面６２はパネルデボス１０ｂの上面から、さらに下方に窪んで形成されている。
【００２２】
凸部７は、パネルデボス１０ｂの上面に突出し、タブ２の幅方向に並んで間隔をおいて二つ形成されている。そして、タブ２の外縁部がこの一対の凸部７に引っ掛かり、タブ２の回転移動を防止できるようになっている。
【００２３】
また、リベット３と指かけ凹部６との間のパネルデボス１０ｂの上面には、一対の凸部７の間に配置され、タブ２の長さ方向に延びる直線状の薄肉部からなる変形容易部９が形成されている。この変形容易部９は、例えば、図３に示すような一本のスコア９０によってパネルデボス１０ｂの上面に形成される。この場合、スコア９０は、底幅Ｗ、開き角度θの横断面が逆台形状に形成される。具体的には、底幅Ｗは０．０９〜０．２０ｍｍ、角度θは５０〜９０°の範囲内で設定されるのが好ましい。そして、スコア残厚Ｄは、後述の膨出変形等によっては破断しない程度に設定される。
【００２４】
また、変形容易部９は、図１に示すように、リベット３周囲のリング状圧印部よりも外側の近傍から指かけ凹部６に通じるように設けられている。
指かけ凹部６の側面６１は、その上下端が屈曲していることによって局所的に剛性が高くなっているが、パネルデボス１０ｂを基準とすると、その上面から立ち下がる形状であるため、パネルデボス１０ｂの上面から立ち上がる形状の外周壁１０ｃの付近と比べてパネルデボス１０ｂは変形し易くなる。また、変形容易部９の延在方向と、パネルデボス１０ｂを構成する外周壁１０ｃの延在方向とを合わせて、変形容易部９を長く形成しているので、変形容易部９は膨出し易くなっている。さらに、変形容易部９を指かけ凹部６に通じるように側面６１に突き抜けて形成しているので、その部分の剛性はさらに緩和されている。
【００２５】
このように構成される缶蓋１００を飲料缶本体に取り付けた状態においては、缶の内圧によって、缶蓋本体１のパネル部１０ａが上方に膨出する。この際、スコア部４に囲まれた開口片５は、その周囲と比較して高く膨出するが、タブ２の引き上げ部２２の下方に形成された変形容易部９の周辺も、共に膨出する。
図４に、タブ２の引き上げ部２２周辺の要部拡大図を示す。図４の実線は、缶蓋１００の飲料缶本体への取り付け前の状態を示し、一点鎖線は取り付け後の内圧が作用した状態を示す。
パネル部１０ａの外周縁部分は、コーナー部１１などの形状で剛性が高くなっており、飲料缶本体への取り付けによって持ち上げられることが抑制されている。
この場合、タブ２の変形容易部９が上方に変位するが、剛性の高いパネル部１０ａの外周縁部分は変形が抑制されるため、図４の一点鎖線で示すように、外周縁部分から変形容易部９にかけて膨出し、引き上げ部２２がパネルデボス１０ｂの上面から浮き上がる。
その結果、引き上げ部２２がパネルデボス１０ｂの上面に密接することを防止することができる。これにより、引き上げ部２２とパネルデボス１０ｂの上面との間に隙間を保持して指掛かり性を向上させることができ、開缶性を向上させることができる。
【００２６】
なお、変形容易部９の膨出量は、図３に示す変形容易部９を構成するスコア９０の開き角度θ、底幅Ｗ及びスコア残厚Ｄ等のパラメータを変更することにより、適宜に設定することができる。
また、この変形容易部としては、図５（ａ）に示すように、スコア９０をタブ２の幅方向中央に１本とその両側に１本ずつ配置した３本の平行なスコア９０で形成される変形容易部９２や、図５（ｂ）に示すような、２本のスコア９０を中央でクロスさせた変形容易部９３等の形状とすることも可能である。この場合、変形容易部９２，９３は、タブ２の幅方向中央部を中心に対称となる配置に設けられているとよい。
【実施例】
【００２７】
次に、本発明の缶蓋に係る実施例について説明する。
缶蓋としては、変形容易部９以外は図１に示す缶蓋１００と同じ形状のものを用いて、変形容易部９を下記の表１に示す実施例１〜５の条件で形成したものを作製した。また、比較例として、変形容易部９を設けないものも作製した。そして、これらの缶蓋を飲料用缶本体に取り付け、いずれもビール相当の炭酸水を充填した。
表１の「スコアの寸法」の「底幅Ｗ（ｍｍ）」及び「角度θ（°）」は、図３に示すスコア９０の底幅Ｗ及び開き角度θの寸法に対応したものである。また、スコア残厚Ｄは、元板厚０．２３５ｍｍに対して０．１６ｍｍに設定し、実施例１〜５において同じ寸法とした。
なお、比較例１は、変形容易部９を形成していないため、「底幅Ｗ（ｍｍ）」及び「角度θ（°）」の欄を「−」で示した。
実施例１の変形容易部は、図１に示す缶蓋１００に施された変形容易部９と同様に、タブ２の幅方向中央に、その幅方向に直交する１本の直線状のスコアのみからなる。そして、実施例２の変形容易部は、図５（ａ）に示すような３本の直線状のスコアからなり、実施例３の変形容易部は、図５（ｂ）に示すような２本の直線状のスコアをクロスさせて形成したものである。実施例４及び実施例５の変形容易部は、実施例１と同様に、１本の直線状のスコアのみから構成されているが、それぞれ表１に示すようにスコアの寸法を異ならせて形成したものである。
【００２８】
表１の「タブ下深さ（ｍｍ）」には、図６に示すように、タブ２の引き上げ部２２の下面から直下のパネルデボス１０ｂ上面までの距離ｈ１と、引き上げ部２２の下面から指かけ凹部６の最も窪んだ最深部までの距離ｈ２とを示した。
【００２９】
【表１】
0005588259.tif 000002
【００３０】
表１に示すとおり、実施例１〜５の全てにおいて、比較例１と比べて距離ｈ１及び距離ｈ２が大きくなっており、パネルデボス１０ｂの上面に変形容易部を形成することにより、引き上げ部２２とパネルデボス１０ｂの上面との間隔が拡がることが確認できた。
また、実施例２，３よりも実施例１の方が、距離ｈ１が大きくなっており、タブ２の幅方向中央に直線状のスコアを構成した変形容易部の方が、距離ｈ１を効果的に大きく構成できる傾向があることがわかった。
【００３１】
以上のとおり、本実施形態の缶蓋によれば、タブの長さ方向に延びる変形容易部を設けることにより、タブの引き上げ部と缶蓋本体のパネル表面との間に隙間を保持して指掛かり性を向上させることができ、開缶性を向上させることができる。
【００３２】
なお、本発明は上記実施形態の構成のものに限定されるものではなく、細部構成においては、本発明の趣旨を逸脱しない範囲において種々の変更を加えることが可能である。
【符号の説明】
【００３３】
１００  缶蓋
１  缶蓋本体
２  タブ
３  リベット
４  スコア部
４ａ  主スコア
４ｂ  補助スコア
５  開口片
６  指かけ凹部
７  凸部
８  インナービード
９，９２，９３  変形容易部
１０ａ  パネル部
１０ｂ  パネルデボス
１０ｃ  外周壁
１１  コーナー部
１２  環状凹部
１３  カウンターシンク部
１４  チャック壁部
１５  ショルダー部
１６  ショルダーカール部
２１  一端部
２２  引き上げ部
２３  タブホール部
２４  タング部
４１  始端部
４２  円弧形状部
４３  中間部
４４  終端部
４５  接続部
６１  側面
６２  底面
９０  スコア
【図１】
0005588259.tif 000003
【図２】
0005588259.tif 000004
【図３】
0005588259.tif 000005
【図４】
0005588259.tif 000006
【図５】
0005588259.tif 000007
【図６】
0005588259.tif 000008